(57)【要約】【課題】簡単な構成により、交流電圧の絶対値と位相を正確に測定できるようにする。【解決手段】電圧測定装置（１）は、検出プローブ（１１）と、検出プローブ（１１）に誘起される電圧から、交流の電圧の絶対値を測定するための電圧を取得する電圧絶対値測定回路（１８）と、同一の検出プローブ（１１）に誘起される電圧から、交流の電圧の位相を測定するための電圧を取得する位相測定回路（１９）とを備える。【選択図】図１
2015169440.tif 000002
【特許請求の範囲】
【請求項１】
電線の導体を流れる交流の電圧の絶対値および位相を前記導体に非接触で測定する電圧測定装置であって、
前記導体との間に結合容量が形成されるプローブと、
前記プローブを含み、前記プローブに誘起される電圧から、前記交流の電圧の絶対値を測定するための電圧を取得する電圧絶対値測定回路と、
同一の前記プローブを含み、前記プローブに誘起される電圧から、前記交流の電圧の位相を測定するための電圧を取得する位相測定回路とを備えていることを特徴とする電圧測定装置。
【請求項２】
前記電圧絶対値測定回路および前記位相測定回路は、前記電圧絶対値測定回路と前記位相測定回路とでインピーダンス値を切り替えることにより形成されることを特徴とする請求項１に記載の電圧測定装置。
【請求項３】
前記電圧絶対値測定回路は、インピーダンス値を変更可能であり、一端部が前記プローブと接続されるインピーダンス設定手段と、前記インピーダンス設定手段の他端部と接続される第１のインピーダンス要素とを備え、
前記位相測定回路は、前記インピーダンス設定手段と並列に接続された第２のインピーダンス要素を備え、
前記第１のインピーダンス要素に対して前記インピーダンス設定手段または前記第２のインピーダンス要素が電気的に接続されるように切り替える切替え手段が設けられていることを特徴とする請求項２に記載の電圧測定装置。
【請求項４】
前記第２のインピーダンス要素はコンデンサであることを特徴とする請求項３に記載の電圧測定装置。
【請求項５】
電線の導体を流れる交流の電圧の絶対値および位相を前記導体に非接触で測定する電圧測定方法であって、
前記導体との間に結合容量が形成されるプローブを配置する工程と、
前記プローブを含む電圧絶対値測定回路により、前記プローブに誘起される電圧から、前記交流の電圧の絶対値を測定するための電圧を取得する工程と、
同一の前記プローブを含む位相測定回路により、前記プローブに誘起される電圧から、前記交流の電圧の位相を測定するための電圧を取得する工程とを備えていることを特徴とする電圧測定方法。
【発明の詳細な説明】
【技術分野】
【０００１】
本発明は、絶縁被覆された配線内の導体を流れる交流の電圧を、配線の導体に接触することなく測定する電圧測定装置および電圧測定方法に関する。
【背景技術】
【０００２】
従来、例えば工場等に引き込まれた１００Ｖや２００Ｖといった商用電源については、電圧の絶対値および電圧の位相を測定することが求められている。電圧の位相を測定することは、電気機器に対して良好な力率にて電力が供給されているかどうかを判定する上において重要である。この種の電圧の測定には、非接触電圧測定装置が使用される。この電圧測定装置は、絶縁被覆された配線内の導体を流れる交流の電圧を、配線の導体に接触することなく測定する装置であり、例えば特許文献１に開示されている。
【０００３】
図８を用いて、一般的な非接触電圧測定装置１０１（以下、単に電圧測定装置１０１と称する）の構成を説明する。図８は、電圧測定装置１０１の構成を示す概略の回路図である。
【０００４】
図８に示すように、電圧測定装置１０１は、検出電極として機能とする検出プローブ１１１を備えている。検出プローブ１１１は、電圧測定対象の電線１１２における絶縁被覆の表面の少なくとも一部を覆うようになっている。これにより、電線１１２の導体と検出プローブ１１１との間には結合容量ＣＬが形成される。
【０００５】
検出プローブ１１１とＧＮＤとの間には検出用インピーダンスＺＳが接続されており、この検出用インピーダンスＺＳの両端には、電線１１２の導体を流れる交流の電圧ＶＬによって電圧が生じる。この電圧は、検出プローブ１１１の出力値Ｖｏｕｔとして出力される。なお、出力値Ｖｏｕｔは、電線１１２の導体の電圧ＶＬを検出用インピーダンスＺＳと結合容量ＣＬとで分圧した電圧のうちの検出用インピーダンスＺＳ側の電圧である。
【０００６】
これにより、電線１１２の電圧ＶＬ、交流の周波数ｆ（角周波数ω）、検出用インピーダンスＺＳ、出力値Ｖｏｕｔ、および結合容量ＣＬの間には、次の式（１）の関係が成り立つ。
【０００７】
【数１】
2015169440.tif 000003
【０００８】
したがって、電線１１２の電圧ＶＬの絶対値は、次の式（２）のようになる。
【０００９】
【数２】
2015169440.tif 000004
【００１０】
次に、電線１１２の電圧ＶＬを求める手順について説明する。図９は、図８に示した電圧測定装置１０１において、検出用インピーダンスＺＳがコンデンサＣ１およびＣ２にて構成されている非接触電圧測定装置１０２（以下、単に電圧測定装置１０２と称する）の構成を示す概略の回路図である。
【００１１】
図８に示すように、コンデンサＣ１およびＣ２は、一端部が検出プローブ１１１に接続され、他端部が切替えスイッチ１１４を介してＧＮＤに接続される。すなわち、切替えスイッチ１１４は、コンデンサＣ１およびＣ２のうち、いずれか一方が電気的に検出プローブ１１１と接続されるように切り替える。
【００１２】
電圧測定装置１０２では、切替えスイッチ１１４を用いて、コンデンサＣ１に印加される電圧、およびコンデンサＣ２に印加される電圧が、出力値Ｖｏｕｔ１およびＶｏｕｔ２としてそれぞれ測定される。電圧ＶＬは、これら測定された出力値Ｖｏｕｔ１およびＶｏｕｔ２から以下の手順にて算出される。
【００１３】
まず、測定された２つの電圧Ｖｏｕｔ１およびＶｏｕｔ２から、以下の関係式（式（３））が得られる。
【００１４】
【数３】
2015169440.tif 000005
【００１５】
式（３）から、結合容量ＣＬが算出される。
【００１６】
【数４】
2015169440.tif 000006
【００１７】
式（４）および回路方程式から、以下の式（５）が導かれる。
【００１８】
【数５】
2015169440.tif 000007
【先行技術文献】
【特許文献】
【００１９】
【特許文献１】特開２００３−２８９００号公報（２００３年１月２９日公開）
【発明の概要】
【発明が解決しようとする課題】
【００２０】
上記従来の構成では、電線１１２の交流電圧（電圧ＶＬ）の絶対値については測定できるようになっている。しかしながら、位相の測定に関し、電線１１２の被覆の抵抗（後述の導体・プローブ間抵抗ＲＬに相当）については考慮されておらず、この被覆の抵抗により電線１１２の交流電圧の位相を正確に測定することができない。
【００２１】
具体的には、非接触電圧測定装置１０１により電線１１２の交流電圧の位相を測定した場合には、電線１１２の被覆の抵抗の存在により、測定された位相は、本来の位相からずれたものとなる。
【００２２】
一方、電線１１２の交流電圧の位相を正確に測定できるように非接触電圧測定装置１０１の各素子の値を設定した場合には、電線１１２の交流電圧の絶対値の検出感度が低下するため、電線１１２の交流電圧の絶対値を正確に測定できなくなる。すなわち、電線１１２の交流電圧の位相の測定においては、検出プローブ１１１（検出電極）の容量と検出インピーダンスの合成容量を純粋な容量成分とみなせるように検出インピーダンスを設定する必要があり、このような設定にした場合には、電線１１２の交流電圧の絶対値の検出感度が低下する。
【００２３】
したがって、本発明は、簡単な構成により、電線の交流電圧の絶対値と電線の交流電圧の位相とを正確に測定することができる電圧測定装置および電圧測定方法の提供を目的としている。
【課題を解決するための手段】
【００２４】
上記の課題を解決するために、本発明の電圧測定装置は、電線の導体を流れる交流の電圧の絶対値および位相を前記導体に非接触で測定する電圧測定装置であって、前記導体との間に結合容量が形成される一つのプローブと、前記プローブを含み、前記プローブに誘起される電圧から、前記交流の電圧の絶対値を測定するための電圧を取得する電圧絶対値測定回路と、同一の前記プローブを含み、前記プローブに誘起される電圧から、前記交流の電圧の位相を測定するための電圧を取得する位相測定回路とを備えていることを特徴としている。
【００２５】
上記の構成によれば、電圧測定装置は、電線の交流の電圧の絶対値を測定するための電圧を取得する電圧絶対値測定回路と、電線の交流の電圧の位相を測定するための電圧を取得する位相測定回路とを備えている。したがって、電圧絶対値測定回路を電線の交流の電圧の絶対値を測定するための電圧を取得するのに適した設定とし、かつ位相測定回路を電線の交流の電圧の位相を測定するための電圧を取得するのに適した設定とすることができる。したがって、電線の導体を流れる交流の電圧の絶対値および位相を正確に測定することができる。
【００２６】
また、電圧絶対値測定回路および位相測定回路は同一のプローブを含んでいるので、複数のプローブが不要であり、コンパクトな構成とすることができる。
【００２７】
また、本発明の電圧測定方法は、電線の導体を流れる交流の電圧の絶対値および位相を前記導体に非接触で測定する電圧測定方法であって、前記導体との間に結合容量が形成されるプローブを配置する工程と、前記プローブを含む電圧絶対値測定回路により、前記プローブに誘起される電圧から、前記交流の電圧の絶対値を測定するための電圧を取得する工程と、同一の前記プローブを含む位相測定回路により、前記プローブに誘起される電圧から、前記交流の電圧の位相を測定するための電圧を取得する工程とを備えていることを特徴としている。
【００２８】
上記の構成によれば、上記電圧測定装置と同様の作用効果を奏する。
【００２９】
前記電圧絶対値測定回路および前記位相測定回路は、前記電圧絶対値測定回路と前記位相測定回路とでインピーダンス値を切り替えることにより形成される構成としてもよい。
【００３０】
上記の構成によれば、電圧絶対値測定回路と位相測定回路とで最適なインピーダンス値を設定することができ、電線の導体を流れる交流の電圧の絶対値および位相を正確に測定することができる。
【００３１】
上記の電圧測定装置において、前記電圧絶対値測定回路は、インピーダンス値を変更可能であり、一端部が前記プローブと接続されるインピーダンス設定手段と、前記インピーダンス設定手段の他端部と接続される第１のインピーダンス要素とを備え、前記位相測定回路は、前記インピーダンス設定手段と並列に接続された第２のインピーダンス要素を備え、前記第１のインピーダンス要素に対して前記インピーダンス設定手段または前記第２のインピーダンス要素が電気的に接続されるように切り替える切替え手段が設けられている構成としてもよい。
【００３２】
上記の構成によれば、プローブに加えて第１のインピーダンス要素が電圧絶対値測定回路および位相測定回路により共用されるので、さらにコンパクトな構成とすることができる。
【００３３】
上記の電圧測定装置において、前記第２のインピーダンス要素はコンデンサである構成としてもよい。
【００３４】
上記の構成によれば、汎用のコンデンサを使用して位相測定回路を容易に構成することができる。
【発明の効果】
【００３５】
本発明の構成によれば、簡単な構成により、電線の交流電圧の絶対値と位相とを正確に測定することができる。
【図面の簡単な説明】
【００３６】
【図１】本発明の実施の形態の非接触電圧測定装置の構成を示す概略の回路図である。
【図２】図２の（ａ）は、図１に示した非接触電圧測定装置の第１および第２の状態を示す回路図、図２の（ｂ）は、図１に示した非接触電圧測定装置の第３の状態を示す回路図である。
【図３】図１に示した非接触電圧測定装置の等価回路を示す図である。
【図４】図１に示した電線の導体と検出プローブとの間に、結合容量および導体・プローブ間抵抗が生じている状態を示す説明図である。
【図５】図１に示した構成における結合容量と電線の交流電圧との関係を示すものであって、結合容量の静電容量値と、電線の交流電圧の絶対値の２回微分との関係を表すグラフである。
【図６】図１に示した非接触電圧測定装置において、コンデンサＣ３の値を変化させた場合の導体・プローブ間抵抗と電線の交流電圧の位相遅れ量との関係を示すグラフである。
【図７】図２の（ａ）に示した電圧絶対値測定回路において、インピーダンス素子として、二つのコンデンサに代えて一つの可変コンデンサを備えた例を示す回路図である。
【図８】従来の非接触電圧測定装置の構成を示す概略の回路図である。
【図９】図８に示した検出用インピーダンスが二つのコンデンサにて構成されている非接触電圧測定装置の構成を示す概略の回路図である。
【発明を実施するための形態】
【００３７】
〔実施の形態〕
本発明の実施の形態を図面に基づいて以下に説明する。
【００３８】
（非接触電圧測定装置１の構成）
図１は、非接触電圧測定装置（以下、単に電圧測定装置と称する）１の構成を示す概略の回路図である。電圧測定対象の電線１２の導体１３は、被覆層１４によって絶縁被覆されており、電圧測定装置１は、導体１３を流れる交流の電圧（絶対値）および位相を導体１３に接触することなく測定する。
【００３９】
図１に示すように、電圧測定装置１は、検出プローブ（プローブ）１１、検出コンデンサＣ１〜Ｃ３、切替えスイッチ（切替え手段）１５、検出抵抗（第１のインピーダンス要素）ＲＳおよび演算部１７を備えている。
【００４０】
検出プローブ１１は、電線１２の被覆層１４の外周面を囲うように取り付けることができる電極を備えている。コンデンサＣ１〜Ｃ３は、一端部が検出プローブ１１に接続され、他端部が切替えスイッチ１５を介して検出抵抗ＲＳに接続されている。
【００４１】
切替えスイッチ１５は、コンデンサＣ１〜Ｃ３のうちのいずれか一つが電気的に検出プローブ１１と接続されるように切り替える。検出抵抗ＲＳは一端部が切替えスイッチ１５と接続され、他端部がＧＮＤ（電圧測定装置１のＧＮＤ）と接続されている。切替えスイッチ１５と検出抵抗ＲＳとの間は、検出電圧出力点１６となっている。
【００４２】
演算部１７は、検出電圧出力点１６から得られた電圧に基づいて、電線１２を流れる交流電圧の絶対値および位相を求める。
【００４３】
ここで、電圧測定装置１では、切替えスイッチ１５の切り替えにより、検出プローブ１１に対して、コンデンサ（インピーダンス設定手段）Ｃ１および検出抵抗ＲＳが直列接続された第１の状態、検出プローブ１１に対して、コンデンサ（インピーダンス設定手段）Ｃ２および検出抵抗ＲＳが直列接続された第２の状態、並びに検出プローブ１１に対して、コンデンサ（第２のインピーダンス要素）Ｃ３および検出抵抗ＲＳが直列接続された第３の状態が生じる。これら第１〜第３の状態のうち、第１の状態および第２の状態は、電線１２の電圧の絶対値を測定する電圧絶対値測定回路１８を構成する（図２の（ａ））。また、第３の状態は、電線１２の電圧の位相を測定する位相測定回路１９を構成する（図２の（ｂ））。
【００４４】
なお、切替えスイッチ１５は、上記第１の状態において、コンデンサＣ１，Ｃ２のいずれか一方が電気的に検出プローブ１１と接続されるように切り替え、上記第２の状態において、並列接続されたコンデンサＣ１，Ｃ２が電気的に検出プローブ１１と接続されるように切り替えるものであってもよい。
【００４５】
（電圧測定装置１の動作）
上記の構成において、電圧測定装置１の動作について以下に説明する。
図３は、図１に示した電圧測定装置１の等価回路を示す図である。図４は、電線１２の導体１３と検出プローブ１１との間に、結合容量ＣＬおよび導体・プローブ間抵抗ＲＬが生じている状態を示す説明図である。
【００４６】
図１に示した電圧測定装置１を等価回路によって示すと図３のようになる。図３の回路では、電線１２の導体１３とコンデンサＣ１〜Ｃ３との間に、並列接続された状態の結合容量ＣＬおよび導体・プローブ間抵抗ＲＬが存在する。
【００４７】
結合容量ＣＬは、検出プローブ１１のサイズ（電極面積）に比例する。したがって、検出プローブ１１が小さいほど、結合容量ＣＬの値は小さくなる。結合容量ＣＬの値は、例えば、数ｐＦ〜数１０ｐＦである。
【００４８】
（電線１２の交流電圧の絶対値の測定）
まず、電線１２を流れる交流電圧の絶対値の測定手順について説明する。電線１２の交流電圧の絶対値を測定する場合、電圧測定装置１は、第１の状態と第２の状態に切り替えられる。
【００４９】
電圧測定装置１が第１の状態であるとき、電線１２の導体１３の電圧ＶＬは、検出抵抗ＲＳと、コンデンサＣ１と、結合容量ＣＬとの間で分圧される。一方、電圧測定装置１が第２の状態であるとき、電線１２の導体１３の電圧ＶＬは、検出抵抗ＲＳと、コンデンサＣ２と、結合容量ＣＬとの間で分圧される。
【００５０】
演算部１７は、検出電圧出力点１６の電圧（検出抵抗ＲＳの両端の電圧）である出力値Ｖｏｕｔに基づいて電圧ＶＬを求める。この場合、演算部１７は、上述した式（１）および式（２）に従って電圧ＶＬを絶対値を算出する。ただし、式（１）および式（２）において、検出用インピーダンスＺＳは検出抵抗Ｒ１に置換される。
【００５１】
（電線１２の交流電圧の絶対値の測定感度を高めるための対策）
電線１２の交流電圧の絶対値を測定する場合において、測定感度は、結合容量ＣＬを大きくすることにより高くなる。結合容量ＣＬを大きくするには、例えば、検出プローブ１１の電極の面積を大きくすればよい。結合容量ＣＬの大きさは、例えば１０ＰＦ以上としてもよい。
【００５２】
（補足）
結合容量ＣＬの絶対値が大きいほど、電圧ＶＬの誤差は小さくなる。ここでは、その根拠を理論的に説明する。
【００５３】
図３に示す電圧測定装置１において、電圧ＶＬは以下の数式で表される。
【００５４】
【数６】
2015169440.tif 000008
【００５５】
ここで、電圧測定装置１が下記の状態（Ａ）であるときに検出抵抗ＲＳに流れる電流をＩ１、発生する電圧をＶｏｕｔ１とし、電圧測定装置１が下記の状態（Ｂ）であるときに上記検出抵抗ＲＳに流れる電流をＩ２、発生する電圧をＶｏｕｔ２とした。状態（Ａ）は、コンデンサＣ１が、結合容量ＣＬと検出抵抗ＲＳとの間に直列接続された状態であり、状態（Ｂ）は、コンデンサＣ２が、結合容量ＣＬと検出抵抗ＲＳとの間に直列接続された状態である。
【００５６】
式（７）を式（６）に代入すると、
【００５７】
【数７】
2015169440.tif 000009
【００５８】
ゆえに、
【００５９】
【数８】
2015169440.tif 000010
【００６０】
【数９】
2015169440.tif 000011
【００６１】
【数１０】
2015169440.tif 000012
【００６２】
ゆえに、
【００６３】
【数１１】
2015169440.tif 000013
【００６４】
従って、
【００６５】
【数１２】
2015169440.tif 000014
【００６６】
図５に、電圧ＶＬの絶対値の２回微分ｄ｜ＶＬ｜２／ｄＣＬと、結合容量ＣＬとの関係をグラフに示す。同図に示すグラフから、結合容量ＣＬの静電容量値が大きいほど、ｄ｜ＶＬ｜２／ｄＣＬの変動が小さいことが分かる。このことから、結合容量ＣＬの静電容量が大きいほど、ＶＬの計測値の変動および誤差が小さいことが、理論的に導かれる。
【００６７】
（電線１２の交流電圧の位相の測定）
次に、電線１２を流れる交流電圧の位相の測定手順について説明する。電線１２の交流電圧の位相を測定する場合、電圧測定装置１は、第３の状態に切り替えられる。
【００６８】
電圧測定装置１が第３の状態であるとき、電線１２の導体１３の電圧ＶＬは、検出抵抗ＲＳと、コンデンサＣ３と、結合容量ＣＬとの間で分圧される。
【００６９】
演算部１７は、検出電圧出力点１６の電圧（検出抵抗ＲＳの両端の電圧）である出力値Ｖｏｕｔに基づいて電線１２の交流電圧の位相を求める。この場合、演算部１７は、電線１２の交流電圧の例えばピーク、ボトムあるいはゼロクロス点等の時刻を測定する。
【００７０】
（導体・プローブ間抵抗ＲＬによる位相遅れへの対策）
結合容量ＣＬと抵抗値が小さい検出抵抗ＲＳとが存在することにより、測定した電線１２の交流電圧の位相は、本来、９０°進んだものとなる。したがって、測定した位相を９０°戻せば、電線１２の交流電圧の位相を求めることができる。
【００７１】
しかしながら、結合容量ＣＬは、導体・プローブ間抵抗ＲＬが存在することにより純粋な容量として作用なくなる。このため、電線１２の交流電圧の位相は、９０°から少し遅れたもとなり、正確に測定できなくなる。
【００７２】
そこで、電圧測定装置１では、結合容量ＣＬ、導体・プローブ間抵抗ＲＬおよびコンデンサＣ３を含む位相測定回路１９を、純粋な容量成分と見なすことができるように、コンデンサＣ３を微小容量としている。
【００７３】
例えば、コンデンサＣ３を１ＰＦとし、結合容量ＣＬが１０ＰＦ、導体・プローブ間抵抗ＲＬが１０ＧΩである場合、位相測定回路１９は、略１ＰＦのコンデンサに等価な回路（容量成分）と見なすことができる。すなわち、位相測定回路１９は、インピーダンスの高いコンデンサおよび抵抗値の小さい検出抵抗ＲＳ（例えば１００ｋΩ）の回路となり、位相９０°を進んだ状態に固定することができる。
【００７４】
（位相遅れ防止効果の確認）
次に、コンデンサＣ３を微小容量とすることによる、電線１２の交流電圧の位相遅れ防止効果について説明する。図６は、位相測定回路１９において、コンデンサＣ３が１ＰＦ、１０ＰＦ、１００ＰＦの各場合における導体・プローブ間抵抗ＲＬと電線１２の交流電圧の位相遅れ量との関係を示すグラフである。
【００７５】
図６に示すように、電線１２の交流電圧の位相遅れは、コンデンサＣ３を微小容量の１ＰＦとした場合に、コンデンサＣ３の容量を１０ＰＦおよび１００ＰＦとした場合と比較して大幅に低減し、２°以下に低減することができた。特に、導体・プローブ間抵抗ＲＬが１０ＧΩの場合（電線１２の通常の被覆層１４によって生じる導体・プローブ間抵抗ＲＬ）には、ほぼ０とすることができた。
【００７６】
（電圧絶対値測定回路１８および位相測定回路１９を備える利点）
以上のように、電圧測定装置１では、一つの検出プローブ１１を共用した、電線１２の交流電圧の絶対値を測定する場合に使用する電圧絶対値測定回路１８と、電線１２の交流電圧の位相を測定する場合に使用する位相測定回路１９とを備え、これらを切り替えて使用できるようになっている。これにより、電線１２の交流電圧の絶対値の測定、および電線１２の交流電圧の位相をそれぞれ正確に行えるようになっている。
【００７７】
すなわち、仮に、電圧絶対値測定回路１８をそのまま電線１２の交流電圧の絶対値および位相の測定に共用した場合、位相の測定において、導体・プローブ間抵抗ＲＬを無視できなくなり、正確に位相を測定することができない。
【００７８】
一方、電圧絶対値測定回路１８のコンデンサＣ２を微小容量のもの（コンデンサＣ３の容量値）に置き換えて、電圧絶対値測定回路１８を電線１２の交流電圧の絶対値および位相の測定に共用した場合、コンデンサＣ２が微小容量であるため、切替えスイッチ１５にてコンデンサＣ１，Ｃ２を切り替えて得られた検出電圧出力点１６の電圧に基づいて電線１２の交流電圧の絶対値を測定することが困難となる。
【００７９】
また、一つの検出プローブ１１を電圧絶対値測定回路１８と位相測定回路１９とで共用することにより、コンパクトな構成とすることができる。
【００８０】
（変形例）
上記の実施の形態では、電圧絶対値測定回路１８がインピーダンスを設定するインピーダンス素子としてコンデンサＣ１，Ｃ２，Ｃ３を備えたものとしている。しかしながら、インピーダンス素子は、コンデンサＣ１，Ｃ２，Ｃ３に限定されることなく、インピーダンスを切り替えられるものであればよい。例えば、インピーダンス素子は、コンデンサＣ１，Ｃ２に代えて２つの抵抗あるいは二つのインダクタ（コイル）であってもよい。あるいは、インピーダンス素子は、コンデンサＣ１，Ｃ２に代えて一つの可変容量ダイオードあるいは一つの可変コンデンサであってもよい。図７には、インピーダンス素子として、コンデンサＣ１，Ｃ２に代えて可変コンデンサＣｖを備えた電圧絶対値測定回路１８の例を示す。
【００８１】
また、スイッチ１５は、例えばリレー、ＳＳＲ（ソリッドステートリレー）、ＦＥＴトランジスタあるいはアナログスイッチ等からなるスイッチであってもよい。また、コンデンサＣ１，Ｃ２，Ｃ３およびスイッチ１５による容量切り替え回路については、これに代えて例えば可変容量回路や可変インピーダンス回路等であってもよい。
【００８２】
本発明は上述した実施の形態に限定されるものではなく、請求項に示した範囲で種々の変更が可能であり、実施の形態にそれぞれ開示された技術的手段を適宜組み合わせて得られる実施の形態についても本発明の技術的範囲に含まれる。さらに、実施の形態に開示された技術的手段を組み合わせることにより、新しい技術的特徴を形成することができる。
【産業上の利用可能性】
【００８３】
本発明は、例えば、配電盤の配線の導体に接触することなく、導体を流れる交流の電圧を測定する装置として利用することができる。
【符号の説明】
【００８４】
１    非接触電圧測定装置（電圧測定装置）
１１    検出プローブ（プローブ）
１２    電線
１３    導体
１４    被覆層
１５    切替えスイッチ（切替え手段）
１６    検出電圧出力点
１７    演算部
１８    電圧絶対値測定回路
１９    位相測定回路
Ｒｓ    検出抵抗（第１のインピーダンス要素）
ＲＬ    導体・プローブ間抵抗
Ｃ１    コンデンサ（インピーダンス設定手段）
Ｃ２    コンデンサ（インピーダンス設定手段）
Ｃ３    コンデンサ（第２のインピーダンス要素）
ＣＬ    結合容量
ＶＬ    電圧
【図１】
2015169440.tif 000015
【図２】
2015169440.tif 000016
【図３】
2015169440.tif 000017
【図４】
2015169440.tif 000018
【図５】
2015169440.tif 000019
【図６】
2015169440.tif 000020
【図７】
2015169440.tif 000021
【図８】
2015169440.tif 000022
【図９】
2015169440.tif 000023